(57)【要約】【課題】利用者の状態を改善することができる画像表示装置、画像表示方法及び画像表示プログラムを提供すること。【解決手段】本発明にかかる画像表示装置１は、利用者から測定した生体情報が示す測定値と、利用者が視認したときに、測定値における利用者の状態を改善することができる色を含む画像を特定する画像特定情報と、を関連付けた関連情報が格納される記憶部３と、利用者から測定した生体情報を取得する取得部５と、記憶部３に格納された関連情報に基づいて、取得部５が取得した生体情報が示す測定値に関連付けられた画像特定情報によって特定される画像を表示部４に表示する制御部２と、を備える。【選択図】図１
2012098662.tif 000002
【特許請求の範囲】
【請求項１】
利用者から測定した生体情報が示す測定値と、当該利用者が視認したときに、当該測定値における利用者の状態を改善することができる色を含む画像を特定する画像特定情報と、を関連付けた関連情報が格納される記憶部と、
前記利用者から測定した生体情報を取得する取得部と、
前記記憶部に格納された関連情報に基づいて、前記取得部が取得した生体情報が示す測定値に関連付けられた画像特定情報によって特定される画像を表示部に表示する制御部と、
を備えた画像表示装置。
【請求項２】
前記取得部は、前記利用者から生体情報を測定して取得する請求項１に記載の画像表示装置。
【請求項３】
前記関連情報は、前記測定値が取り得る範囲を分割した複数の分割範囲のうち、少なくとも１つの特定分割範囲と、当該利用者が視認したときに、当該特定分割範囲に含まれる測定値における利用者の状態を改善することができる色を含む画像を特定する画像特定情報と、を対応付けた情報であり、
前記制御部は、前記取得部が取得した生体情報が示す測定値が含まれる特定分割範囲に対応する画像特定情報によって特定される画像を表示部に表示する請求項１又は２に記載の画像表示装置。
【請求項４】
前記関連情報は、それぞれの種類が異なる複数の生体情報のそれぞれにおける複数の前記特定分割範囲と、前記画像特定情報と、が関連付けられ、
前記取得部は、前記複数の生体情報を取得し、
前記制御部は、前記取得部が取得した複数の生体情報の測定値のそれぞれが、前記複数の特定分割範囲のそれぞれに含まれる場合に、当該特定分割範囲に対応する画像特定情報によって特定される画像を表示部に表示する請求項３に記載の画像表示装置。
【請求項５】
前記記憶部は、さらに前記画像を示す画像データを格納し、
前記画像特定情報は、前記記憶部に格納される画像データを示し、
前記制御部は、前記画像特定情報が示す画像データを前記記憶部から取得して、取得した画像データが示す画像を表示する請求項１乃至４のいずれか１項に記載の画像表示装置。
【請求項６】
前記画像特定情報は、前記画像の配色を示し、
前記制御部は、前記画像特定情報が示す配色で前記画像を生成し、生成した画像を表示する請求項１乃至４のいずれか１項に記載の画像表示装置。
【請求項７】
前記関連情報は、前記生体情報が示す測定値及び大気から測定した気象情報が示す測定値と、前記画像特定情報と、が関連付けられ、
前記取得部は、さらに前記大気から測定した気象情報を取得し、
前記制御部は、前記取得部が取得した生体情報が示す測定値及び前記取得部が取得した気象情報が示す測定値に関連付けられた画像特定情報によって特定される画像を表示部に表示する請求項１に記載の画像表示装置。
【請求項８】
前記画像表示装置は、携帯情報端末である請求項１乃至７のいずれか１項に記載の画像表示装置。
【請求項９】
利用者から測定した生体情報を取得するステップと、
利用者から測定した生体情報が示す測定値と、当該利用者が視認したときに、当該測定値における利用者の状態を改善することができる色を含む画像を特定する画像特定情報と、を関連付けた関連情報に基づいて、前記取得部が取得した生体情報が示す測定値に関連付けられた画像特定情報によって特定される画像を表示部に表示するステップと、
を備えた画像表示方法。
【請求項１０】
利用者から測定した生体情報を取得する処理と、
利用者から測定した生体情報が示す測定値と、当該利用者が視認したときに、当該測定値における利用者の状態を改善することができる色を含む画像を特定する画像特定情報と、を関連付けた関連情報に基づいて、前記取得部が取得した生体情報が示す測定値に関連付けられた画像特定情報によって特定される画像を表示部に表示する処理と、
をＣＰＵ(Central Processing Unit)に実行させる画像表示プログラム。
【発明の詳細な説明】
【技術分野】
【０００１】
本発明は、画像表示装置、画像表示方法及び画像表示プログラムに関する。
【背景技術】
【０００２】
色が人体に与える影響には個体差があると想定されるが、一定の効果が認められることが分かっている。このことを考慮して開発された製品が市場に出回っている。
一方で、電子機器のユーザインタフェースでは、開発者によって、背景色や文字等のために様々な色が用意されている。利用者は、予め用意されている色から、好みに応じた色を選択して利用している。このように、利用者は、ユーザインタフェースの画面配色として、好みの色を組み合わせて利用している。
【０００３】
特許文献１には、障害者が煩雑な操作をすることなく画面のサイズを変更することができる画像サイズ設定装置が開示されている。画像サイズ設定装置は、生体情報、動作・位置情報、遠隔入力情報及び直接入力情報等を計測する。画像サイズ設定装置は、計測した情報を解析して、利用者の画面サイズの意図を推定する。画像サイズ設定装置は、検出した意図から、利用者が希望する拡大部位及び拡大倍率を決定する。画面サイズ設定装置は、決定した拡大部位及び拡大倍率で、画面を表示する。
【先行技術文献】
【特許文献】
【０００４】
【特許文献１】特開平０９−２１２３２２号公報
【発明の概要】
【発明が解決しようとする課題】
【０００５】
背景技術として説明したように、色は視認する人体に対して一定の影響を与えることが分かっている。したがって、例えば、日常で利用者が視認するユーザインタフェースのような画像を表示する画像表示装置において、画像表示装置の利用者の精神状態又は身体状態に応じて、利用者の精神状態又は身体状態に良い影響を与えるような色を表示することができれば、非常に有意義である。しかし、現状は、上述したように、利用者が色を選択するのみに留まっており、利用者の精神状態又は身体状態に応じて、画像の色を調整するというアプローチはなされていないという課題がある。
【０００６】
しかし、特許文献１は、利用者の状態に応じて、利用者が視認したときに、利用者の状態を改善することができる色を含む画像を表示する技術を開示したものではない。
【０００７】
本発明は、上述したような課題を解決するために、利用者の状態を改善することができる画像表示装置、画像表示方法及び画像表示プログラムを提供することにある。
【課題を解決するための手段】
【０００８】
本発明の第１の態様にかかる画像表示装置は、利用者から測定した生体情報が示す測定値と、当該利用者が視認したときに、当該測定値における利用者の状態を改善することができる色を含む画像を特定する画像特定情報と、を関連付けた関連情報が格納される記憶部と、前記利用者から測定した生体情報を取得する取得部と、前記記憶部に格納された関連情報に基づいて、前記取得部が取得した生体情報が示す測定値に関連付けられた画像特定情報によって特定される画像を表示部に表示する制御部と、を備えたものである。
【０００９】
本発明の第２の態様にかかる画像表示方法は、利用者から測定した生体情報を取得するステップと、利用者から測定した生体情報が示す測定値と、当該利用者が視認したときに、当該測定値における利用者の状態を改善することができる色を含む画像を特定する画像特定情報と、を関連付けた関連情報に基づいて、前記取得部が取得した生体情報が示す測定値に関連付けられた画像特定情報によって特定される画像を表示部に表示するステップと、を備えたものである。
【００１０】
本発明の第３の態様にかかる画像表示プログラムは、利用者から測定した生体情報を取得する処理と、利用者から測定した生体情報が示す測定値と、当該利用者が視認したときに、当該測定値における利用者の状態を改善することができる色を含む画像を特定する画像特定情報と、を関連付けた関連情報に基づいて、前記取得部が取得した生体情報が示す測定値に関連付けられた画像特定情報によって特定される画像を表示部に表示する処理と、をＣＰＵ(Central Processing Unit)に実行させるものである。
【発明の効果】
【００１１】
上述した本発明の各態様によれば、利用者の状態を改善することができる画像表示装置、画像表示方法及び画像表示プログラムを提供することができる。
【図面の簡単な説明】
【００１２】
【図１】本発明の実施の形態にかかる画像表示装置の構成図である。
【図２】本発明の実施の形態にかかる携帯端末の構成図である。
【図３】本発明の実施の形態にかかる携帯端末の処理を示すフローチャートである。
【図４】本発明の実施の形態にかかるデータ格納テーブルの一例を示す図である。
【図５】本発明の実施の形態にかかる基準値テーブルの一例を示す図である。
【図６】本発明の実施の形態にかかる判定テーブルの一例を示す図である。
【発明を実施するための形態】
【００１３】
発明の実施の形態．
まず、図１を参照して、本発明の実施の形態にかかる携帯端末の概要となる画像表示装置１について説明する。図１は、本発明の実施の形態にかかる画像表示装置１の構成図である。
【００１４】
画像表示装置１は、制御部２、記憶部３、表示部４及び取得部５を有する。
制御部２は、記憶部３に格納された関連情報に基づいて、取得部５が取得した生体情報が示す測定値に関連付けられた画像特定情報によって特定される画像を表示部４に表示する。
記憶部３は、利用者から測定した生体情報が示す測定値と、利用者が視認したときに、その測定値における利用者の状態を改善することができる色を含む画像を特定する画像特定情報と、を関連付けた関連情報が格納される。
表示部４は、制御部２によって任意の画像が表示される。
取得部５は、利用者から測定した生体情報を取得する。
【００１５】
続いて、本発明の実施の形態にかかる画像表示装置１の処理について説明する。
取得部５は、利用者から測定した生体情報を取得する。制御部２は、記憶部３に格納された関連情報に基づいて、取得部５が取得した生体情報が示す測定値に関連付けられた画像特定情報によって特定される画像を表示部４に表示する。
【００１６】
続いて、図２を参照して、本発明の実施の形態にかかる携帯端末１１の構成について説明する。図２は、本発明の実施の形態にかかる携帯端末１１の構成図である。
【００１７】
携帯端末１１は、ＣＰＵ(Central Processing Unit)１２、バス１３、ＲＯＭ(Read Only Memory)１４、作業用メモリ１５、キー入力部１６、表示制御部１７、表示部１８及びセンサモジュール２０を有する。ＣＰＵ１２、ＲＯＭ１４、作業用メモリ１５、キー入力部１６及び表示制御部１７は、バス１３を介して相互に接続されている。
【００１８】
ＣＰＵ１２は、センサモジュール２０が測定したデータに基づいて、利用者の精神状態及び身体状態を推定する。ＣＰＵ１２は、推定した利用者の精神状態及び身体状態に基づいて、利用者が視認したときに利用者の精神状態又は身体状態の少なくとも１つを改善することができる色を含む画像を表示部１９に表示する。ＣＰＵ１２は、任意の画像を表示部１８に表示する場合、その画像を示す画像データを表示制御部１７に出力する。ＣＰＵ１２は、キー入力部１６から出力されたデータが示す入力内容に応じて、各種処理を実行する。
【００１９】
バス１３は、ＣＰＵ１２、ＲＯＭ１４、作業用メモリ１５、キー入力部１６及び表示制御部１７間で相互に任意のデータを転送する。
ＲＯＭ１４は、ＣＰＵ１２によって実行される各種プログラム等の固定的なデータが格納される。ＲＯＭ１４に格納されるプログラムは、図３を参照して後述する処理をＣＰＵ１２に実行させる。
【００２０】
作業用メモリ１５は、例えば、ＲＡＭ(Random Access Memory)によって構成される。作業用メモリ１５は、ＣＰＵ１２がプログラムを実行する上で一時的に必要とされるデータを格納する。ＲＯＭ１４及び作業用メモリ１５は、記憶部３に対応する。ＲＯＭ１４又は作業用メモリ１５には、表示部１８に表示される画像データが複数格納される。
キー入力部１６は、利用者からの入力を受ける。キー入力部１６は、例えば、キーボタン及びニューロポインター(登録商標)等の入力装置を含む。キー入力部１６は、利用者からの入力内容を示すデータをＣＰＵ１２に出力する。
【００２１】
表示制御部１８は、表示部１９の表示を制御する制御回路である。表示制御部１８は、ＣＰＵ１２から出力された画像のデータが示す画像を表示部１８に表示する。ＣＰＵ１２及び表示制御部１８は、制御部２に対応する。
表示部１９は、表示制御部１８によって任意の画像が表示される。表示部１９は、例えば、液晶パネルや有機ＥＬ(Electro Luminescence)等の表示装置である。表示部１９は、表示部４に対応する。
【００２２】
センサモジュール２０は、脈拍計、肌水分計、肌皮脂計、口臭計、体温計、気温計、湿度計及び気圧計等の計器を含む。センサモジュール２０は、具体的には、赤外線センサ、光センサ及び３次元センサ等の１つ以上のセンサを含む。例えば、脈拍計として、赤外線センサを利用してもよく、その他のセンサを利用してもよい。気温計及び湿度計等の他の計器についても同様である。つまり、各計器には、１以上のセンサが含まれる。１つのセンサで複数のデータを計測してもよい。複数のセンサを組み合わせて、１つのデータを取得してもよい。センサモジュール２０は、取得部５に対応する。
【００２３】
続いて、図３を参照して、本発明の実施の形態にかかる携帯端末１１の処理について説明する。図３は、本発明の実施の形態にかかる携帯端末１１の処理を示すフローチャートである。
【００２４】
センサモジュール２０は、携帯端末１１の利用者の生体情報及び気象情報を取得する(Ｓ２０１)。ステップＳ２０１では、ＣＰＵ１２は、利用者にセンサによる計測を指示する画面を表示部１８に表示する。利用者は、表示部１８に表示された指示に従って、各種センサに指、肌及び空気等を触れさせることで、センサに各種データを取得させる。
【００２５】
脈拍計は、利用者の脈拍数を計測して脈拍数を示すデータを生成する。肌水分計は、利用者の肌水分量を計測して肌皮脂量を示すデータを生成する。肌皮脂計は、利用者の肌皮脂量を計測して肌皮脂量を示すデータを生成する。口臭計は、利用者の口臭に含まれる揮発性硫化物濃度等を計測して揮発性硫化物濃度を示すデータを生成する。体温計は、利用者の体温を計測して体温を示すデータを生成する。気温計は、気温を計測して気温を示すデータを生成する。湿度計は、湿度を計測して湿度を示すデータを生成する。気圧計は、気圧を計測して気圧を示すデータを生成する。
【００２６】
なお、利用するデータが、心拍数、体温、肌水分量、肌皮脂量、口臭(揮発性硫化物濃度等)、気温、湿度、気圧である場合について例示しているが、これらには限定されない。これらのうちの一部の生体情報のみを利用するようにしてもよく、これらの他の生体情報を利用するようにしてもよい。他の生体情報として、例えば、血流量、脳波、汗の成分、目のピント調整力等を利用してもよい。利用するデータは、本発明を実装する装置の要件に応じて自由に選択可能である。
【００２７】
センサモジュール２０は、各計器が生成したデータを、生体情報及び気象情報として、作業用メモリ１５に格納する。生体情報は、例えば、脈拍数、肌皮脂量、肌皮脂量、揮発性硫化物濃度又は体温等を示すデータである。気象情報は、例えば、気温、湿度又は気圧等を示すデータである。各計器が生成したデータは、例えば、図４に例示するようなデータ格納テーブルに格納される。データ格納テーブルは、ＩＤ１０１と、取得日時１０２と、各計器が計測した生体情報１０３〜１１１と、を含むエントリを複数有する。ＩＤ１０１は、各エントリを一意に特定する値である。ＩＤ１０１は、例えば、センサモジュール２０が任意に決定する。取得日時１０２は、各生体情報１０３〜１１１を取得した日時である。ＩＤ１０１及び取得日時１０２は、例えば、センサモジュール２０によって、生体情報１０３〜１１１と共に作業用メモリ１５に格納される。
【００２８】
ＣＰＵ１２は、作業用メモリ１５に格納されたデータを分析する(Ｓ２０２)。ＣＰＵ１２は、作業用メモリ１５に格納された各データの値と、基準値テーブルに含まれる各基準値とを比較することによって、データを分析する。この比較によって、ＣＰＵ１２は、データの値の基準値テーブルの基準値に対する大小関係や、その大小の程度を判定する。
【００２９】
ここで、図５に、本実施の形態にかかる基準値テーブルの一例を示す。基準値テーブルは、ＩＤ１２１と、カテゴリ１２２と、各生体情報１２２〜１２８と、を含むエントリを複数有する。基準値テーブルの各エントリには、年齢及び性別等のカテゴリ別に、予め定められた各データの基準値が格納されている。基準値テーブルは、図５に示す"１０代女性"、"２０代女性"のように、年代及び性別の組み合わせでカテゴリを分類してもよい。また、基準値テーブルは、図５に示す"利用者Ａ"のように、個人毎にカテゴリを分類するようにしてもよい。もちろん、カテゴリの分類は、これにかぎられない。例えば、年代ではなく、年齢別にカテゴリを分類するようにしてもよい。
【００３０】
基準値として、事前に、利用者等から、数回のデータサンプリングを行って、利用者の標準的な生体情報を測定しておく。そして、測定したデータを基準値テーブルとしてＲＯＭ１４に格納しておく。例えば、数回サンプリングしたデータの平均値を基準値とする。例えば、利用者が、比較的、健康かつ精神状態が安定している日に数日分のデータを測定して、測定したデータの平均値を基準値とすればよい。また、直ぐに基準値を取得したい場合は、利用者が健康かつ精神状態が安定している日に、数回のデータを測定して、測定したデータの平均値を基準値としてもよい。このように、基準値を取得するパターンをいくつか用意しておくと利便性が高まる。
【００３１】
ＣＰＵ１２は、携帯端末１１の利用者が"利用者Ａ"の場合、"利用者Ａ"のカテゴリの基準値と各データの値とを比較する。ＣＰＵ１２は、基準値テーブルに携帯端末１１の利用者個人のカテゴリがない場合、その利用者の年齢及び性別に応じたカテゴリの基準値と各データとを比較する。
【００３２】
ＣＰＵ１２は、例えば、利用者からキー入力部１６に入力された情報に基づいて、利用者に応じたカテゴリを判定する。利用者は、例えば、利用者個人を特定する情報や、年齢及び性別等をキー入力部１６に入力する。利用者個人を特定する情報として、例えば、利用者個人のエントリのＩＤ１２１又はカテゴリ１２２の内容を使用する。
【００３３】
ステップＳ２０２における分析を簡略化するために、分析結果は所定のパターンに分類される。例えば、脈拍数の場合、"速い"、"遅い"及び"標準"の３パターン、もしくは、さらに"非常に速い"及び"非常に遅い"を加えた５パターンに分類される。肌水分量等の他の生体情報及び気象情報も同様に、数パターンに分類する。例えば、気温の場合、"猛暑の暑さ"、"適温"等のパターンに分類される。このように、分類するパターンは、取得する情報の種類に応じた適切なものが予め定められる。このように、ＣＰＵ１２は、各データのそれぞれについて、各データの値の基準値に対する大小関係及びその大小の程度を、予め定められたパターンのいずれかで表した分析結果データを作業用メモリ１５に格納する。
【００３４】
ＣＰＵ１２は、例えば、データの値が、基準値を基準とした正常範囲を超えるか否かによって、いずれのパターンに属するかを判定する。例えば、脈拍数の正常範囲が５０〜１００(回／分)の場合、基準値を７５として、正常範囲を±２５とする。ＣＰＵ１２は、脈拍数が５０より小さい範囲に含まれる場合"遅い"と判定し、脈拍数が５０〜１００の範囲に含まれる場合"標準"と判定し、脈拍数が１００より大きい範囲に含まれる場合"速い"と判定する。よって、脈拍数が５０〜１００の場合、分析結果データの脈拍数は、"標準"と表される。また、５パターンに分類する場合は、基準値を基準とした範囲を２つ有することになる。なお、基準値を基準とした範囲を示す値は、基準値テーブルに含まれるようにしてもよい。
【００３５】
ＣＰＵ１２は、分析結果データに基づいて、利用者の精神状態及び身体状態を推定して、推定した利用者の精神状態及び身体状態に応じて、画面の配色、表示画像及び文字サイズ等を変更する(Ｓ２０３)。なお、ＣＰＵ１２は、分析結果データと、判定テーブルとを照らし合わせて、利用者の精神状態及び身体状態を推定する。
【００３６】
ここで、図６に、本実施の形態にかかる判定テーブルの一例を示す。判定テーブルは、ＩＤ１４１と、判定内容１４２と、配色パターン１４３と、各データの基準値との乖離度１４４〜１５２と、を含むエントリを複数有する。ＩＤ１４１は、判定テーブルの各エントリを一意に特定する値である。判定内容１４２は、同一エントリの乖離度１４４〜１５２と一致する分析結果データの元となるデータを測定した利用者の精神状態又は身体状態を示す。例えば、図６に示す判定内容１４２"Ｆｅｅｌｉｎｇ Ｂｌｕｅ"は、精神状態が"憂鬱"であることを示している。配色パターン１４３は、同一エントリの判定内容１４２が示す利用者の精神状態又は身体状態を改善する画面の配色のパターンを示す。
【００３７】
各データの基準値との乖離度１４４〜１５２は、各データの値の基準値に対する大小関係及びその大小の程度の組み合わせが示されている。各データの基準値との乖離度１４４〜１５２のそれぞれは、分析結果を分類するパターンと同じパターンで示される。例えば、各エントリの判定内容１４２は、それぞれ異なる精神状態及び身体状態を示す。つまり、分析結果データが示すパターンと一致するパターンを乖離度１４４〜１５２として含むエントリの判定内容１４２が示す精神状態及び身体状態を、利用者の精神状態及び身体状態として推定する。
【００３８】
利用者の"体調が優れない"という身体状態を判定内容１４２として示すエントリでは、例えば、体温の乖離度１４５を"高い"にする。これによって、利用者に熱があり、体調が優れないことを判定することができる。利用者が"イライラしている"という精神状態を判定内容１４２として示すエントリでは、例えば、脈拍数の乖離度１４４を"速い"又は"非常に速い"にする。これによって、利用者がイライラしており、脈拍数が速くなっていることを判定することができる。利用者が"落ち込んでいる"という精神状態を判定内容１４２として示すエントリでは、例えば、湿度の乖離度１５０を"高い"にする。一般的に、雨天等でじめじめしているときは、気分が落ち込みやすい。そのため、これによって、利用者が"落ち込んでいる"という精神状態を判定することができる。利用者の"目が疲れている"という身体状態を判定内容１４２として示すエントリでは、例えば、目のピント調節力(図示せず)を"低い"にする。目のピント調節力は、例えば、光センサによって瞳孔反応等を数値化して測定する。これによって、利用者の目が疲れており、目のピント調節力が低下していることを判定することができる。
【００３９】
以上に説明したように、ＣＰＵ１２は、ステップＳ２０２でパターン化された分析結果データを、判定テーブルと比較することで、利用者の精神状態又は身体状態を推定する。精神状態及び身体状態を推定するのに、不必要なデータがある場合、そのデータの欄に判定対象から外すことを示すデータを格納する。図６では、判定対象から外すことを示すデータとして、"全て"というタグが格納されている場合について例示している。ＣＰＵ１２は、判定テーブルにおいて、"全て"を示すデータが格納されている生体情報及び気象情報は、判定対象から外して比較を行う。
【００４０】
ＣＰＵ１２は、分析結果データと乖離度１４４〜１５２が一致したエントリの判定内容１４２と対応付けられた、待受画面の画像、配色の画像、及び、文字サイズの文字の画像等を表示部１８に表示する。なお、判定内容１４２には、判定内容１４２が示す利用者の精神状態又は身体状態を改善する色を含む画像が対応付けられる。ここで、判定内容１４２と配色が対応付けられる画像とは、任意の配色で表示される複数の構成要素を含む画像である。例えば、メニューの画像や、背景色及び文字を含んだ画像等である。
【００４１】
なお、判定内容１４２に対応付けられた１つ又は複数の画像を表示するために必要な設定項目等を、判定内容１４２と対応付けておくことで、ＣＰＵ１２が判定内容１４２に対応する画像を表示できるようにする。例えば、判定内容１４２と、判定内容１４２に応じて表示する画像の表示に必要な情報と、を対応付けた画像情報テーブルをＲＯＭ１４又は作業用メモリ１５に格納しておく。例えば、画像情報テーブルは、判定内容１４２と、待受画面等の画像を示す画像データの格納場所を示す格納場所情報、メニュー等の配色の設定内容を示す配色設定情報、及び、文字の文字サイズの設定内容を示す文字設定情報の少なくとも１つと、が対応付けられる。画像データの格納場所は、例えば、画像データが格納されるパス又はアドレス等である。
【００４２】
ＣＰＵ１２は、画像情報テーブルを参照して、判定内容１４２から特定される画像を表示する。例えば、ＣＰＵ１２は、画像対応テーブルを参照して、判定内容１４２に対応する格納場所情報が示す格納場所に格納された画像データを表示制御部１８に出力することで、この画像データが示す画像を表示部１９に表示する。
【００４３】
例えば、ＣＰＵ１２は、画像情報テーブルを参照して、判定内容１４２に対応する配色設定情報が示す設定内容でメニュー等の配色を設定する。ＣＰＵ１２は、メニューを表示するときに、設定された配色で、メニューを示す画像データを生成する。ＣＰＵ１２は、生成した画像データを表示制御部１８に出力することで、この画像データが示すメニューを表示部１９に表示する。
【００４４】
例えば、ＣＰＵ１２は、画像情報テーブルを参照して、判定内容１４２に対応する文字設定情報が示す設定内容で文字サイズを設定する。ＣＰＵ１２は、文字を表示するときに、設定された文字サイズで、文字を示す画像データを生成する。ＣＰＵ１２は、生成した画像データを表示制御部１８に出力することで、この画像データが示す文字を表示部１９に表示する。
【００４５】
このように、画像情報テーブルにおいて、判定内容１４２と対応付けられる情報によって、判定内容１４２と対応付けられた画像が特定される。なお、画像情報テーブルにおいて、配色設定情報が、配色パターン１４３と対応付けられるようにしてもよい。そして、ＣＰＵ１２が、配色パターン１４３に対応する配色設定情報に基づいて、画像を表示するようにしてもよい。
【００４６】
次に、判定結果１４２と対応付けられる画像について具体例を説明する。
例えば、"目が疲れている"という判定内容１４２には、緑を含む画像を対応付けておく。例えば、緑が主体の森や山等の待受画面の画像、緑を主体とした配色の画像、又は、標準の文字サイズと比較して文字サイズを大きくした文字の画像等を対応付けておく。これによって、目に良いとされる緑を主体とした画像を視聴者に視認させることができるため、利用者の目に与える負担を低減することができる。また、文字サイズを大きくした文字が表示されるため、それによっても利用者の目に与える負担を低減することができる。つまり、利用者の"目が疲れている"という身体状態を改善することができる。
【００４７】
例えば、"イライラしている"という判定内容１４２には、青を含む画像を対応付けておく。これによって、沈静効果の見込まれる青を主体とした画像を視聴者に視認させることができるため、利用者を落ち着かせることができる。つまり、利用者の"イライラしている"という精神状態を改善することができる。
【００４８】
この例では、例えば、判定テーブルによって、脈拍数の乖離度１４４"速い"と判定内容１４２"イライラしている"とが対応付けられ、画像情報テーブルによって、判定内容１４２"イライラしている"と、青色を含む画像の表示に必要な情報とが対応付けられる。これによって、ＣＰＵ１２が、"イライラしている"という判定内容１４２に対応する青を含む画像を表示することができる。言い換えると、判定テーブル及び画像情報テーブルによって、"速い"と分析される範囲に含まれる脈拍数と、青を含む画像を特定する情報と、が関連付けられている。判定テーブル及び画像情報テーブルは、関連情報に対応する。
【００４９】
このように、本実施の形態では、利用者から測定した生体情報が示す測定値と、利用者が視認したときに、その測定値における利用者の状態を改善することができる色を含む画像を特定する画像特定情報と、を関連付けた情報を有するようにしている。そして、その情報に基づいて、利用者から測定した生体情報が示す測定値に関連付けられた画像特定情報によって特定される画像を表示するようにしている。これにより、利用者が視認したときに利用者の状態を改善することができる色を含む画像を表示することができる。
【００５０】
その他の発明の実施の形態．
センサが取得した生体情報に加えて、利用者に対して対話的な問診を行って、問診の結果を考慮して、利用者の精神状態及び身体状態が推定されるようにしてもよい。具体的には、ＣＰＵ１２は、利用者に対する問診内容を表示部１８に表示する。ＣＰＵ１２は、利用者からキー入力部１６に入力された回答を考慮して、利用者の精神状態及び身体状態を推定する。例えば、分析結果データからは"体調が優れない"という身体状態が推定されなかった場合であっても、"熱っぽいか？"という問診に対して、利用者から"Ｙｅｓ"という回答が入力されたときは、利用者が"体調が優れない"という身体状態であると推定してもよい。また、例えば、分析結果データからは"体調が優れない"という身体状態が推定された場合であっても、"熱っぽいか？"という問診に対して、利用者から"Ｎｏ"という回答が入力されたときは、利用者が"体調が優れない"という身体状態ではないと推定してもよい。
【００５１】
センサを利用者の体表面や体内に身につけて、そのセンサによって測定したデータを定期的に無線通信によって携帯端末に送信するようにしてもよい。つまり、センサは、上述したように携帯電話等の画像表示装置に備えられるようにしてもよく、外付けで利用されるようにしてもよい。この場合、携帯端末に、外部のセンサが測定したデータを受信するための通信モジュールを備えるようにする。ＣＰＵ１２は、定期的に通信モジュールを介してデータを取得して、取得したデータに基づいて画像を更新する。これによれば、利用者が能動的にセンサによって測定をする必要がなくなる。そのため、利用者にかかる負担を低減することができる。
【００５２】
画面を切り替えるときに、推定した精神状態又は身体状態に応じた色を含む画像を挿入して、利用者の精神状態及び身体状態を改善する効果を得るようにしてもよい。例えば、ＣＰＵ１２は、クロスフェード等のトランジションを用いて画面を徐々に切り替えるときに、切り替え中に表示する画像に、利用者の精神状態又は身体状態を改善する色を含めるようにしてもよい。
【００５３】
特定の効果を得られると想定される色を含む配色のパターンを複数用意しておき、利用者が事前に選択できるようにすることで、利用者のそれぞれの好みのパターンの配色で画像が表示されるようにしてもよい。例えば、利用者は、それぞれの判定内容１４２について、複数の配色のパターンから自身が希望する配色のパターンを選択する入力をキー入力部１６に対して行う。また、利用者は、キー入力部１６に対して、利用者個人を特定する情報を入力する。ＣＰＵ１２は、キー入力部１６に入力された入力内容に基づいて、利用者個人を特定する情報と、利用者が選択したパターンの配色の設定内容を示す情報と、を対応付けた情報を配色設定情報に含める。つまり、画像情報テーブルの配色設定情報において、利用者毎に設定内容を示すようにする。
【００５４】
ＣＰＵ１２は、画像情報テーブルの配色設定情報に基づいて、利用者の精神状態又は身体状態を改善する色を含む配色のうち、利用者が選択したパターンの配色で画像を表示する。ＣＰＵ１２は、例えば、上述したカテゴリの判定に使用した利用者個人を特定する情報に基づいて、利用者に対応するパターンの配色を特定する。また、配色に限られず、特定の効果を得られると想定される色を含む画像を示す画像データを複数用意しておき、利用者が事前に選択できるようにしてもよい。
【００５５】
精神状態又は身体状態に対応するデータをメタデータとして、その精神状態又は身体状態を改善することができる色を含む画像のデータに含めておくようにしてもよい。例えば、メタデータとして、判定内容１４２を示すデータを含めておく。そして、ＣＰＵ１２は、ステップＳ２０３で特定した判定内容１４２を示すデータを含む画像データを取得して、取得した画像データが示す画像を表示するようにしてもよい。なお、同一のメタデータを含む画像データを複数用意した場合は、それらの画像データによって表示される複数の画像を待受画面上でスライドショーのように切り替えて表示するようにしてもよく、待受画面が表示される度に表示する画像を変更するようにしてもよい。
【００５６】
各データの基準値との乖離度をパターン化した判定テーブルによって判定を行わずに、生体情報及び気象情報の少なくとも１つを引数とした身体精神状況予測関数を定義して、その関数の戻り値によって精神状態又は身体状態を推定してもよい。例えば、身体精神状況予測関数の戻り値と、判定内容１４２に相当する精神状態又は身体状態と、を予め対応付けた戻り値対応テーブルをＲＯＭ１４又は作業用メモリ１５に格納しておく。また、身体精神状況予測関数を示すデータを予めＲＯＭ１４又は作業用メモリ１５に格納しておく。ＣＰＵ１２は、生体情報及び気象情報を引数として、ＲＯＭ１４又は作業用メモリ１５に格納される身体精神状況予測関数の戻り値を算出する。ＣＰＵ１２は、戻り値対応データに基づいて、算出した戻り値に対応する精神状態又は身体状態を、利用者の精神状態又は身体状態として推定する。
【００５７】
目が疲れた場合は、一般的に文字サイズが大きい方がよいと考えられるが、利用者にとっては、文字サイズを勝手に変更されたくない場合が想定される。また、利用者によっては大嫌いな色があることも想定される。そのため、それぞれの利用者の嗜好に合わせて、精神状態又は身体状態に応じて表示変更される項目のＯＮ／ＯＦＦをすることができるようにしてもよい。具体的には、ＣＰＵ１２は、精神状態又は身体状態に応じて表示される項目を表示部１８に表示する。例えば、待受画面の画像、配色の画像、及び、文字サイズの文字の画像のそれぞれを示す項目について、表示のＯＮ／ＯＦＦの切り替えを確認する内容を表示する。ＣＰＵ１２は、利用者からキー入力部１６に入力されたＯＮ／ＯＦＦの切り替えに応じて、各項目が示す画像を表示又は非表示にする。
【００５８】
なお、本発明は上記実施の形態に限られたものではなく、趣旨を逸脱しない範囲で適宜変更することが可能である。
【００５９】
本発明の適用対象は、実施の形態で例示した携帯電話に限られない。本発明は、何らかの画像を表示する表示部を備える画像表示装置に適用することができる。画像表示装置には、携帯情報端末、デスクトップ型パーソナルコンピュータ、家庭用電化製品、及び、産業用電化製品等が含まれる。携帯情報端末には、例えば、携帯電話、ＰＨＳ(Personal Handyphone System)、スマートフォン及びノート型パーソナルコンピュータ等が含まれる。
【００６０】
生体情報は、携帯端末と任意のネットワークを介して通信が可能な生体情報取得装置から取得するようにしてもよい。また、気象情報は、地域の気象情報を取得して管理している外部サーバ等から、任意のネットワークを介して取得するようにしてもよい。
【００６１】
ＣＰＵ１２によって実行されるプログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体(例えばフレキシブルディスク、磁気テープ、ハードディスクドライブ)、光磁気記録媒体(例えば光磁気ディスク)、ＣＤ−ＲＯＭ(Read Only Memory）、ＣＤ−Ｒ、ＣＤ−Ｒ／Ｗ、半導体メモリ(例えば、マスクＲＯＭ、ＰＲＯＭ(Programmable ROM）、ＥＰＲＯＭ(Erasable PROM）、フラッシュＲＯＭ、ＲＡＭ(Random Access Memory））を含む。また、プログラムは、様々なタイプの一時的なコンピュータ可読媒体(transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６２】
また、ＣＰＵ１２が上述の実施の形態の機能を実現するプログラムを実行することにより、上述の実施の形態の機能が実現される場合だけでなく、このプログラムが、ＣＰＵ１２上で稼動しているＯＳ(Operating System)もしくはアプリケーションソフトウェアと共同して、上述の実施の形態の機能を実現する場合も、本発明の実施の形態に含まれる。さらに、このプログラムの処理の全てもしくは一部が画像表示装置に挿入された機能拡張ボードや画像表示装置に接続された機能拡張ユニットによって行われて、上述の実施の形態の機能が実現される場合も、本発明の実施の形態に含まれる。
【符号の説明】
【００６３】
１    画像表示装置
２    制御部
３    記憶部
４、１８    表示部
５    取得部
１１    携帯端末
１２    ＣＰＵ
１３    バス
１４    ＲＯＭ
１５    作業用メモリ
１６    キー入力部
１７    表示制御部
２０    センサモジュール
【図１】
2012098662.tif 000003
【図２】
2012098662.tif 000004
【図３】
2012098662.tif 000005
【図４】
2012098662.tif 000006
【図５】
2012098662.tif 000007
【図６】
2012098662.tif 000008